(57)【要約】【課題】  ドライバＩＣを異なる複数の液晶パネルに適用することが可能な液晶表示装置を提供する。【解決手段】  液晶パネル１２が形成されるＴＦＴ基板１１上に、液晶パネル１２の走査線１３または信号線１４を駆動するゲートドライバＩＣ１５またはデータドライバＩＣ１６の設定を変更するための設定信号を伝送する設定変更用配線２０ａ、２０ｂ、２１ａ、２１ｂ、２２を形成する。これにより、ゲートドライバＩＣ１５またはデータドライバＩＣ１６を異なる複数の液晶パネルに適用することが可能になる。【選択図】  図１
2006330550.tif 000002
【特許請求の範囲】
【請求項１】
液晶パネルが形成されるガラス基板上に配線を有する液晶表示装置において、
前記ガラス基板上に、前記液晶パネルの走査線または信号線を駆動するゲートドライバ回路またはデータドライバ回路の設定を変更するための設定信号を伝送する設定変更用配線を形成したことを特徴とする液晶表示装置。
【請求項２】
前記設定信号は、前記走査線または前記信号線の数に応じて前記ゲートドライバ回路または前記データドライバ回路の出力端子数を設定する信号であることを特徴とする請求項１記載の液晶表示装置。
【請求項３】
前記設定信号は、前記ゲートドライバ回路または前記データドライバ回路の内部制御モードを設定する信号であることを特徴とする請求項１記載の液晶表示装置。
【請求項４】
前記設定信号は、前記データドライバ回路側に設けられた周辺回路基板から前記設定変更用配線に伝送されることを特徴とする請求項３記載の液晶表示装置。
【発明の詳細な説明】
【技術分野】
【０００１】
本発明は液晶表示装置に関し、特にガラス基板上に配線を有する液晶表示装置に関する。
【背景技術】
【０００２】
近年、ＴＦＴ（Thin Film Transistor）液晶パネルに代表されるアクティブマトリクス方式液晶表示装置は、一般家庭用ＴＶ、ＯＡ機器の表示装置として普及しつつある。これは、アクティブマトリクス方式液晶表示装置がＣＲＴ（Cathode Ray Tube）に比べ、薄型、軽量を容易に実現でき、ＣＲＴに劣らない表示品質を得ることができるためである。この薄型、軽量という点を生かしてノート型パソコンなどの携帯型情報機器だけでなく、様々なマルチメディア情報機器への対応が求められている。
【０００３】
以下、アクティブマトリクス方式液晶表示装置のパネル構成を述べる。
図２は、アクティブマトリクス方式の液晶パネルの概略構成を示す斜視図である。
液晶パネル５０は、画素トランジスタ（ＴＦＴ）５１を備えたＴＦＴ基板５２と、これと対向に配置され共通電極（コモン電極）５３が形成された共通基板５４と、ＴＦＴ基板５２と共通基板５４との間に液晶層５５が封入された構造となっている。
【０００４】
ＴＦＴ基板５２上には信号線５６、走査線（ゲートライン）５７がマトリクス状に交差しており、その交点すべてにＴＦＴ５１がスイッチング素子として接続されている。走査線５７で選択された行のＴＦＴ５１がオンすることにより、信号線５６に印加された映像信号電圧が各画素電極に書き込まれて、次にその行が選択されるまで電荷を保持することで情報が保たれる。保持された情報に対応して液晶の傾きが決まるので、光の透過量を制御することができ、階調表示などが可能となる。さらにカラー表示を行うには、ＲＧＢのカラーフィルター（図示せず）を用いることで光の混合を行い、実現している。
【０００５】
図３は、液晶パネル及び液晶パネルを駆動する回路を示す従来の液晶表示装置の概略の構成図である。
液晶パネル５０を駆動する回路は、フィルム状の配線テープであるゲートＴＣＰ（Tape Carrier Package）６０ａ上に搭載され、図２で示したように各走査線５７を駆動する複数のスキャンラインドライバＩＣ（ゲートドライバＩＣ）６０と、ソースＴＣＰ６１ａ上に搭載され、図２で示したように各信号線５６を駆動する複数のデータドライバＩＣ６１を有している。データライン側のソースＴＣＰ６１ａは、周辺回路基板６２と電気的に接続しており、各ドライバＩＣに対し信号を入力する。
【０００６】
なお、ドライバＩＣは、液晶パネル５０の解像度とサイズ、色数、階調数などにより、それぞれの液晶パネル５０に合わせて選定が可能となるものである。また、特にドライバＩＣの選択については、解像度とサイズにより、ドライバＩＣの出力ピン数が大きく関係して選ばれる。また、ドライバＩＣには、さまざまな設定の入力端子がある。そして入力信号により、出力端子数を変更したり、走査方向を変更したり、そのほか液晶パネルごとの特性に合わせた設定を行える。
【０００７】
なお、従来、ＴＣＰ内でドライバＩＣの出力端子数を調整する液晶表示装置が開示されている（例えば特許文献１参照）。
【特許文献１】特開２００２−２０７４５２号公報
【発明の開示】
【発明が解決しようとする課題】
【０００８】
従来の液晶表示装置において、前述したように液晶パネルを駆動するためのゲートドライバＩＣ及びデータドライバＩＣが配置される数や性能は液晶パネルの解像度、サイズ、パネル特性などにより液晶パネルごとに決められる。従って、従来の液晶表示装置では、液晶パネルとドライバＩＣがそれぞれ１対１の関係となり、液晶パネルが異なるたびにドライバＩＣも変更が必要となり、その都度液晶パネルにあったドライバのＩＣを開発するための開発期間やコストがかかるという問題があった。
【０００９】
本発明はこのような点に鑑みてなされたものであり、ドライバＩＣを異なる複数の液晶パネルに適用することが可能な液晶表示装置を提供することを目的とする。
【課題を解決するための手段】
【００１０】
本発明では上記問題を解決するために、液晶パネルが形成されるガラス基板上に配線を有する液晶表示装置において、図１に示すように、ガラス基板（ＴＦＴ基板）１１上に、液晶パネル１２の走査線１３または信号線１４を駆動するゲートドライバＩＣ１５またはデータドライバＩＣ１６の設定を変更するための設定信号を伝送する設定変更用配線２０ａ、２０ｂ、２１ａ、２１ｂ、２２を形成したことを特徴とする液晶表示装置１０が提供される。
【００１１】
上記の構成によれば液晶パネル１２が形成されるガラス基板（ＴＦＴ基板）１１上に、液晶パネル１２の走査線１３または信号線１４を駆動するゲートドライバＩＣ１５またはデータドライバＩＣ１６の設定を変更するための設定信号を伝送する設定変更用配線２０ａ、２０ｂ、２１ａ、２１ｂ、２２を形成したので、ゲートドライバＩＣ１５またはデータドライバＩＣ１６を異なる複数の液晶パネルに適用することが可能になる。
【発明の効果】
【００１２】
本発明によれば、液晶パネルの種類によってゲートドライバ回路またはデータドライバ回路を新たに開発する必要がなくなり、１種類のゲートドライバ回路またはデータドライバ回路を異なる複数の液晶パネルに流用可能となる。これにより、開発期間の削減や開発コストが削減される。
【発明を実施するための最良の形態】
【００１３】
以下、本発明の実施の形態を図面を参照して詳細に説明する。
図１は、本実施の形態の液晶表示装置の構成図である。
本実施の形態の液晶表示装置１０において、ＴＦＴ基板（ガラス基板）１１上には液晶パネル１２が形成されており、走査線（ゲートライン）１３と信号線１４がマトリクス状に交差されて配設されている。さらにここでは図示を省略しているが、マトリクス状に配設された走査線１３と信号線１４の交点すべてにＴＦＴがスイッチング素子として接続されている（図２参照）。
【００１４】
液晶パネル１２を駆動する回路は、フィルム状の配線テープであるゲートＴＣＰ１５ａ上に搭載され、各走査線１３を駆動する複数のゲートドライバＩＣ１５と、ソースＴＣＰ１６ａ上に搭載され、各信号線１４を駆動する複数のデータドライバＩＣ１６を有している。なお、ゲートドライバＩＣ１５及びデータドライバＩＣ１６の数は図示の数に限定されるものではない。データライン側のソースＴＣＰ１６ａは、周辺回路基板１７と電気的に接続している。周辺回路基板１７は、電源や画像データ信号、その同期信号及び１水平同期期間の始まりを示す信号、ゲートクロック信号や１垂直同期期間の始まりを示すゲートスタート信号など、さらには各ドライバＩＣの設定信号（詳細は後述する。）を、ソースＴＣＰ１６ａを介して各ドライバＩＣに供給する。なお、本実施の形態の液晶表示装置１０では、額縁面積や周辺回路面積を省スペース化するためにデータドライバＩＣ１６側にのみ周辺回路基板１７を配置しており、ゲートドライバＩＣ１５側には配置していない。このため、複数のゲートドライバＩＣ１５に供給される電源や各種信号は、データドライバＩＣ１６側に配置された周辺回路基板１７から、ソースＴＣＰ１６ａとＴＦＴ基板１１上の配線を用いて初段のゲートドライバＩＣ１５に入力され、逐次ＴＦＴ基板１１上の配線を用いて後段に伝送される。
【００１５】
ゲートＴＣＰ１５ａ、ソースＴＣＰ１６ａ上の配線に接続されるゲートドライバＩＣ１５、データドライバＩＣ１６の熱圧着部分の端子の並びは、内側にＴＦＴ基板１１側（液晶パネル１２側）に信号を出力する出力端子が配置され、外側には、電源や各種制御信号を入力する入力端子が配置される。なお、図のようにゲートドライバＩＣ１５、データドライバＩＣ１６の出力端子は、解像度の異なるパネルにおいても、出力端子数が変更できるようにパネル側圧着部分（走査線１３や信号線１４につながる部分）より、同数かそれ以上の端子が用意されている。ゲートドライバＩＣ１５またはデータドライバＩＣ１６の出力端子は熱圧着により、ＴＦＴ基板１１側の図示しないパッドに接続されて始めてその出力端子が有効になる。そのため、ゲートドライバＩＣ１５またはデータドライバＩＣ１６の使用しない出力端子については、未処理で問題はない。
【００１６】
本実施の形態の液晶表示装置１０では、走査線１３や信号線１４の数に応じて、各ゲートドライバＩＣ１５、データドライバＩＣ１６の出力端子数を設定信号の入力により変更する。設定信号としては、電源短絡かグランド短絡を用いる。そのため、例えば、各ゲートドライバＩＣ１５またはデータドライバＩＣ１６の出力端子のうち、使用しない出力端子の隣接端子に電源電位またはグランド電位となる端子を設けておく。ＴＦＴ基板１１上では、そのようなゲートドライバＩＣ１５またはデータドライバＩＣ１６が搭載されたときに、使用しない出力端子と電源電位またはグランド電位の端子とが短絡するような、出力端子数変更用の設定変更用配線２０ａ、２１ａを設けておく。これにより、ゲートドライバＩＣ１５、データドライバＩＣ１６とＴＦＴ基板１１の熱圧着の際に、使用しない出力端子に対して電源電位またはグランド電位が設定変更用の信号として伝送され、ゲートドライバＩＣ１５、データドライバＩＣ１６の出力端子数を変更することができる。
【００１７】
またゲートドライバＩＣ１５、データドライバＩＣ１６によっては、使用しない出力端子はオープンにしておけば電源電圧設定になるプルアップ機能や逆にグランド電圧設定になるプルダウン機能を有しているものもある。この場合には、出力端子のパッド数を削減することができる。
【００１８】
このようにすれば、出力端子数が設定でき、１つのゲートドライバＩＣ１５、データドライバＩＣ１６で複数の解像度の液晶パネル１２に適用することが可能になる。
また、図１で示した本実施の形態の液晶表示装置１０は、ゲートドライバＩＣ１５、データドライバＩＣ１６の内部制御モードを変更する設定信号を伝送するための設定変更用配線２０ｂ、２１ｂをＴＦＴ基板１１上に形成していることを特徴としている。
【００１９】
設定信号は、ゲートドライバＩＣ１５においては、スキャン方向を変更する信号、液晶パネル１２の表示特性に合わせて表示品質の設定する信号（例えば、反射型液晶パネルに用いられる全ゲート一括オフ機能：ＸＤＯＮ信号）などである。データドライバＩＣ１６においては、スキャン方向を変更する信号（Ｌ／Ｒ信号）、パワーダウン機能を選択する信号などである。
【００２０】
これらの設定変更用配線２０ｂ、２１ｂは、ゲートドライバＩＣ１５、データドライバＩＣ１６とＴＦＴ基板１１の熱圧着の際に、ゲートドライバＩＣ１５、データドライバＩＣ１６の出力端子に接続する。なお、設定信号は、周辺回路基板１７側から伝送されてくるため、周辺回路基板１７とＴＦＴ基板１１間のソースＴＣＰ１６ａ上にも設定信号を伝送するための設定変更用配線２２が設けられているものとする。
【００２１】
このような構成によれば、ゲートドライバＩＣ１５、データドライバＩＣ１６とＴＦＴ基板１１の熱圧着後に液晶パネル１２の特性に応じたゲートドライバＩＣ１５、データドライバＩＣ１６の機能を設定することができる。
【図面の簡単な説明】
【００２２】
【図１】本実施の形態の液晶表示装置の構成図である。
【図２】アクティブマトリクス方式の液晶パネルの概略構成を示す斜視図である。
【図３】液晶パネル及び液晶パネルを駆動する回路を示す従来の液晶表示装置の概略の構成図である。
【符号の説明】
【００２３】
１０  液晶表示装置
１１  ＴＦＴ基板（ガラス基板）
１２  液晶パネル
１３  走査線
１４  信号線
１５  ゲートドライバＩＣ
１５ａ  ゲートＴＣＰ
１６  ソースドライバＩＣ
１６ａ  ソースＴＣＰ
１７  周辺回路基板
２０ａ、２０ｂ、２１ａ、２１ｂ、２２  設定変更用配線
【図１】
2006330550.tif 000003
【図２】
2006330550.tif 000004
【図３】
2006330550.tif 000005